(57)【要約】      （修正有）【課題】ロールスクリーンや映写幕に損傷を与えることなく、これらを効率よく洗浄可能な洗浄装置を提供する。【解決手段】建物の窓に掛けられる幕、又は映像投影用の映写幕に使用されるロールスクリーンの展延性を有するロールに巻いたシート状洗浄対象物を洗浄する洗浄装置において、スクリーンの取り付け金具を除いた洗浄対象物ロール体を、回転可能な両端にパイプ状円形駆動体２に洗剤と導入させて、回転、及び摺動によってシート状洗浄対象物に付着している汚れを落とす蓋１５付パイプ状円形洗浄機器と、蓋付パイプ状円形洗浄機器であるパイプ状円形駆動体から取り出した洗浄対象物ロール体をシート状洗浄対象物に展延して吊し下げて、洗浄水による清掃する水洗器具と、それに続く自然乾燥する乾燥器具とを兼ねる吊り下げ枠体とで構成されている。【選択図】図１
0003228890.tif 000002
【実用新案登録請求の範囲】
【請求項１】
建物の窓に掛けられる幕、又は映像投影用の映写幕に使用されるロールスクリーンの展延性を有するロールに巻いたシート状洗浄対象物を洗浄する洗浄装置において、スクリーンの取り付け金具を除いた洗浄対象物ロール体を、回転可能な両端に蓋付パイプ状円形駆動体に洗剤と導入させて、回転、摺動によってシート状洗浄対象物に付着している汚れを落とす工程と、前パイプ状円形記駆動体から取り出した洗浄対象物ロール体をシート状洗浄対象物に展延して吊し下げて、洗浄水による清掃する工程と、それに続く自然乾燥する工程とから構成されていることを特徴とするロールスクリーンの洗浄装置。
【請求項２】
汚れを落とす工程において両端に蓋付パイプ状円形駆動体の操作は、洗浄対象物ロール体に接しながらその回転軸を中心に回転・摺動されて、スクリーンシートを巻いたロール体の汚れ付着シート表面を、蓋付パイプ状円形駆動体の回転によって洗剤液を内部に浸透させると共に、その回転軸と直角な方向の落下によってシート面の洗剤液の移動を容易にするために、前記蓋付パイプ状円形駆動体は、直径１００〜３００ｍｍ、長さ１０００〜３０００ｍｍの樹脂製パイプで、内部の表面に直径２０〜５０ｍｍの半円パイプ状バーを２〜４箇所にパイプ全長に張り付けて、洗浄液体を１〜５０Ｌ導入して、回転速度を１０〜１００回転／分での回転操作を行うようになっていることを特徴とする請求項１に記載のロールスクリーンの洗浄装置。
【請求項３】
ロール体の汚れ付着シートの表面洗浄工程に対し、ロールスクリーンにおけるスクリーン表面を洗浄する操作において、ロールスクリーンのロール体の揺動または振動可能なように各ロール面に洗浄液が流れ込むように回転を行い、洗浄装置における蓋付パイプ状円形駆動体の上部に洗浄液を導入する洗浄液ボックスを配置し、その近傍に処理廃液を排出するボックスを具えたことを特徴とする請求項１、又は請求項２に記載のロールスクリーンの洗浄装置。
【考案の詳細な説明】
【技術分野】
【０００１】  本考案は、建物の窓に掛けられるロールスクリーン、映像投影用の映写幕（スクリーン）等の展延性を有する洗浄対象物の洗浄に適したコンパクトな洗浄装置で、特に家屋その他の建物の窓等に設けられるロールスクリーンを洗浄対象とした、ロールスクリーン洗浄装置に関するものである。
【背景技術】
【０００２】一般に建築物の窓に遮光のために取り付けられるブラインドは、スラットと呼ばれる羽板を複数、所定の間隔をあけて昇降自在吊り下げ、羽板の傾斜角度を調節することにより、遮光量を調節できるようになっている。ブラインドは、長期間の使用により羽板に埃が堆積するなどして汚れる。このように汚れたブラインドを洗浄する装置として、超音波による振動エネルギーを利用した洗浄装置である。超音波を利用する洗浄装置の場合、洗剤を混ぜた洗浄液中での超音波洗浄だけではブラインドに汚れが残る、結局視認による点検を行い、汚れが残っている場合は、その部分を束子やスポンジ等で人手に頼って擦り洗いする必要があり、作業効率の点で改善がもたれている（特許文献１及び２参照）。【０００３】しかし最近は日光遮蔽装置としてはロールスクリーンが多く採用されている。その場合自動的にロールスクリーンを洗浄し、作業能率の向上と、均質な作業ができるロールスクリーンの洗浄装置並びにロールスクリーンの洗浄用車両を提供するにおいて、ロールスクリーンの洗浄装置Ａは、適宜の機枠に対し、ロールスクリーンユニットにおけるスクリーン本体を洗浄する洗浄ユニットが具えられ、この洗浄ユニットは、スクリーン本体の送り方向上流側に洗浄剤を噴出する洗浄スプレーボックスを配置し、更にその近傍に吸引ボックスを具えたものが提案されている（特許文献３参照）。【０００４】また建物の室内には、窓部の遮光や室内の仕切りの目的で、カーテンやロールスクリーンなどが設けられている。使用を経るにつれ、汚れてくることから、その都度洗浄することが行われている。家事作業として家庭内で対応することができるが、カーテン等が多量に設備されている公共施設、病院、宿泊施設においては、専門の洗浄業者に作業を委ねることが多い。
ロールスクリーン、代替品の用意はほとんど無いから、その後の洗浄、更に取り付けるまでの作業を、短時間で完了させることを要求するものであり、かかる要求に応えるとなると、現場での洗浄作業が最も効率的な方法が提案されている（特許文献４参照）。【０００５】さらにロールスクリーン型網戸の、網の巻取り・巻戻しを行う度に自動的に清掃するために、ロールスクリーン型網戸の網巻取用ロールの近傍に、この網の表裏両側より挟むようにして外表面が粘着性を有する内外ロールを回動自在にして窓枠に支持する方法が提案されている（特許文献５参照）。【０００６】一方手軽に効率的にブラインド、ロールスクリーンの洗浄を行うことができる装置及び方法として、対向した一対の長さ方向側壁、長さ方向側壁の対向した両端を連結するように取り付けられた一対の横断方向側壁、及び底壁によって形成された、上面が開放した矩形の受槽と、受槽の内部に、長さ方向側壁と平行に等間隔に配置されたＮ個の隔壁と、隔壁によって形成される空間が連通するように、隔壁に配置された小孔と、側壁の所定箇所に設けられたプラグ付き排水口とを備えている洗浄装置が提供される（特許文献６参照）。【０００７】  以上のように、建物の室内には、窓部の遮光や室内の仕切りの目的で、カーテンやブラインドが一般であって、そのブラインドの洗浄装置が通常である。最近はロールスクリーンが採用されており、簡単に洗浄できる洗浄装置が期待されている。ロールスクリーンの洗浄装置は、ロールスクリーンのシートをブラシで擦り洗いする洗浄装置が一般であるが、ブラシによる擦り洗いの際、羽板の端部を捲り上げて羽板を損傷させてしまう虞があった。十分な洗浄が難しい。簡単で、コンパクトな洗浄装置が期待されている。
【先行技術文献】
【特許文献】
【０００８】
【特許文献１】特開２０００−２０１８６０号公報
【特許文献２】特開平５−２８５４３１号公報
【特許文献３】特開２０１０−４２３６６号公報
【特許文献４】特許第３５９３５７１号公報
【特許文献５】実開平６−２８１９３号公報
【特許文献６】特開２０１３−２４４１４９号公報
【考案の概要】
【考案が解決しようとする課題】
【０００９】  ロールスクリーンは、時間が経過するにつれて、スクリーンの表面に塵や異物等が付着するため、清掃する必要が生じてくるが、ロールスクリーンは、取り付け状態でその構造上、清掃しにくい物品である。すなわち、清掃すべきロールスクリーンの両面を、傷つきやすく、清掃時に切断するおそれもある。また、特に一般家庭においてロールスクリーンを清掃する際には、ロールスクリーンを窓から外して台上に置くなどして作業を行うため、長時間を要する重労働となってしまう。【００１０】  本考案は、このような状況に鑑みて開発されたものであって、手軽に効率的にロールスクリーンの清掃すなわち洗浄を行うことができるロールスクリーン洗浄装置及び該装置を使用するロールスクリーン洗浄方法を提供することを目的としている。そこで、上述の事情に鑑み、作業効率がよく、洗浄対象物を損傷させずに洗浄可能な洗浄装置を提供することを課題としている。これらの種々の背景を考慮してなされたものであって、ほぼ短時間にロールスクリーンを洗浄し、洗浄効率の高く、作業能率の向上と、均質な作業ができるロールスクリーンの洗浄装置の開発を試みた。【００１１】上記した洗浄装置は、洗浄タンク内に羽根板を降ろしたロールスクリーンを吊り下げて入れる構造を有するので、設置に当たってはロールスクリーンの横幅以上のスペースが必要であった。また、洗浄タンクはロールスクリーンがシート表面を降ろした状態で収容できるようにするために、相当の深さを有するよう形成されていた。装置が大型化せず、省スペースで設置できるコンパクトなロールスクリーン洗浄装置を提供することにある。
【課題を解決するための手段】
【００１２】  上述の課題を解決するため、本考案による洗浄装置においては、ロールスクリーン等の洗浄対象物を擦り洗いする回転可能なパイプ状円形駆動体を有しており、この駆動体の回転駆動によって、洗浄対象物の汚れを短時間に簡単に洗い流すことができるものである。【００１３】  建物の窓に掛けられる幕、又は映像投影用の映写幕に使用されるロールスクリーンの展延性を有するロールに巻いたシート状洗浄対象物を洗浄する洗浄装置において、スクリーンの取り付け器具を除いた洗浄対象物ロール体を、回転可能な両端に蓋付パイプ状円形駆動体に洗剤と導入させて、回転、摺動によってシート状洗浄対象物に付着している汚れを落とす工程と、前記蓋付パイプ状円形記駆動体から取り出した洗浄対象物ロール体をシート状洗浄対象物に展延して吊し下げて、表面を洗浄水による清掃する工程と、それに続く自然乾燥する工程とからなるロールスクリーンの洗浄装置である。【００１４】汚れを落とす工程において両端に蓋付パイプ状円形駆動体の操作は、洗浄対象物のロール体に接しながらその回転軸を中心に回転・摺動されて、スクリーンシートを巻いたロール体の汚れ付着シート表面を、蓋付パイプ状円形駆動体の回転によって洗剤液を内部に浸透させると共に、その回転軸と直角な方向の落下によってシート面の洗剤液の移動を容易にするために、前記パイプ状円形駆動体は、直径１００〜３００ｍｍ、長さ１０００〜３０００ｍｍの樹脂製パイプで、内部の表面に直径１０〜５０ｍｍの半円パイプ状バーを２〜４箇所にパイプ全長に張り付けて、洗浄液体を１〜５０Ｌ導入して、回転速度を１０〜１００回転／分で回転操作を行うようになっている。【００１５】ロール体の汚れ付着シート表面洗浄工程に対し、ロールスクリーンにおけるスクリーン表面を洗浄する操作において、ロールスクリーンのロール体の揺動または振動可能なように各ロール面に洗浄液が流れ込むように回転を行い、洗浄装置におけるパイプ状円形駆動体の上部に洗浄液を導入する洗浄液ボックスを配置し、その近傍に処理廃液を排水するボックスを具えている。
【考案の効果】
【００１６】  本考案によれば、汚れを落とす工程においてパイプ状円形駆動体は、洗浄対象物のロール体に接しながらその回転軸を中心に回転・摺動されて、スクリーンシートを巻いたロール体の汚れ付着シート表面を、パイプ状円形駆動体の回転によって洗剤液を内部に浸透させ、その回転軸と直角な方向の落下によってシート面の洗剤液の移動を容易にするために、合理的に洗浄作業が行うことができる。洗浄でほぼ脱水状態にあるロールスクリーンを乾燥装置で乾燥させ且つ滅殺菌をも行うことができる。スクリーン自体を積極的に駆動するもので、優れた作業性と、一定の回転速度にすることにより均一な表面の均一処理が可能となる。更に乾燥風によりスクリーンシート表面を乾燥して、確実で清爽なスクリーン本体の乾燥物が得られることができる。【００１７】  このような特徴を有するため、本考案によるロールスクリーン洗浄装置においては、常に洗浄対象物を通常の洗濯機のように回転状態で洗浄するようにすることにより、洗浄対象物のスクリーン表面を損傷させることなく洗浄対象物を洗浄することができる。洗浄装置及び洗浄方法によれば、手を汚すことなく、手軽にかつ効率的にロールスクリーンを洗浄することが可能となる。
【図面の簡単な説明】
【００１８】
【図１】本考案によるロールスクリーン洗浄設備の全体の斜視図である。
【図２】本考案によるロールスクリーン洗浄設備の洗浄部装置の操作手順図である。Ａ：ロールスクリーンを挿入時状態  Ｂ：装置の駆動状態
【図３】本考案によるロールスクリーン洗浄設備の洗浄部装置内でのロールスクリーンを回転洗浄する状態断面図である。Ａ：ロールスクリーンと洗浄注入した状態図  Ｂ；回転洗浄状態図
【図４】本考案によるロールスクリーン洗浄設備の洗浄部装置での洗浄後ロールスクリーン水洗浄状態図である。Ａ：洗浄液排出する状態図  Ｂ；洗浄水注入する状態図、Ｃ：水による水洗状態図
【考案を実施するための形態】
【００１９】  以下に本考案による洗浄装置の一実施例について、図１に本考案によるロールスクリーン洗浄装置の全体の斜視図である。図２に本考案によるロールスクリーン洗浄装置の一部、主に洗浄対象物を擦り洗いする回転可能なパイプ状円形駆動体を示した斜視図である。図４に本考案による洗浄装置の洗浄操作を示した図である。添付の図１〜４を参照しつつ説明する。
【実施例１】
【００２０】図１に示すように建物の窓に掛けられるロールスクリーンの展延性を有するロールに巻いたシート状洗浄対象物を洗浄する洗浄装置において、図２Ａ，Ｂに示すようにスクリーンの取り付け器具を除いた洗浄対象物ロール体２本を回転可能なパイプ状円形駆動体に挿入して、洗浄装置となるパイプ状円形駆動体は直径３００ｍｍ、長さ２０００ｍｍのポリ塩化ビニル樹脂製パイプで、内部の表面に半径５０ｍｍの半円パイプ状バーを３箇所にパイプ全長に張り付けて、後部の上部から洗剤と水との洗浄液体を３０Ｌ導入させて、図３に示すように回転、摺動によってシート状洗浄対象物に付着している汚れを落とした。【００２１】また図３に示すように、汚れを落とす工程においてパイプ状円形駆動体の操作は、洗浄対象物のロール体に接しながらその回転軸を中心に回転・摺動されて、スクリーンシートを巻いたロール体の汚れ付着シート表面を、パイプ状円形駆動体の回転によって洗剤液を内部に浸透させると共に、その回転軸と直角な方向の落下によってシート面の洗剤液の移動を容易にするために、直径３００ｍｍ、長さ２０００ｍｍのポリ塩化ビニル樹脂製パイプで、内部の表面に半径５０ｍｍの半円パイプ状バーを３箇所にパイプ全長に張り付けた前記パイプ状円形駆動体は、回転速度を２０回転／分で１０分間回転操作を行い、その後図４に示すように汚れを落とした洗浄液を排水して廃液タンクに収めて、前記パイプ状円形駆動体内で、洗浄水で洗剤を洗い流した。これを取り出して次の工程に移した。前パイプ状円形記駆動体から取り出した洗浄対象物ロール体をシート状洗浄対象物に展延して吊し下げて、表面をウォータージェットでの噴射による清掃する工程と、それに続く自然、または温風乾燥する工程とからなるロールスクリーンの洗浄を行った。【００２２】  最後にスクリーン幅の立掛け作業枠に吊し下げたシート状平坦面に展延された洗浄対象物の表面をブラシローラで撫でながら、洗浄用水を使用したウォータージェットで５Ｌ／分の高圧噴射によるシート状平坦面の全面を１０分間清掃し、その後そのまま吊り下げて自然乾燥させて、元の位置に使用するようにした。なおロール体の汚れ付着シート表面洗浄工程に対し、ロールスクリーンにおけるスクリーン表面を洗浄する操作において、図に示すようにロールスクリーンのロール体の揺動または振動可能なように各ロール面に洗浄液が流れ込むように回転を行い、洗浄装置におけるパイプ状円形駆動体の上部に洗浄液を導入する洗浄液ボックスを配置し、その近傍に処理液を排水する廃液タンクを具えた。
【実施例２】
【００２３】  実施例１と同様に、建物の窓に掛けられるロールスクリーンの展延性を有するロールに巻いたシート状洗浄対象物を洗浄する洗浄装置において、スクリーンの取り付け器具を除いた洗浄対象物ロール体を、回転可能なパイプ状円形駆動体に洗剤と導入させて、回転、摺動によってシート状洗浄対象物に付着している汚れを落とす工程において、前記パイプ状円形駆動体は、直径２００ｍｍ、長さ１５００ｍｍの塩ビ製樹脂パイプで、内部の表面に半径３０ｍｍの半円パイプ状バーを２箇所にパイプ全長に張り付けて、洗浄液体を７Ｌ導入して、回転速度を２０回転／分で１５分間回転操作を行った。【００２４】汚れを落とす工程においてパイプ状円形駆動体の操作は、洗浄対象物のロール体に接しながらその回転軸を中心に回転・摺動されて、スクリーンシートを巻いたロール体の汚れ付着シート表面を、パイプ状円形駆動体の回転によって洗剤液を内部に浸透させると共に、その回転軸と直角な方向の落下によってシート面の洗剤液の移動を容易にするために、洗浄効率を上げた。前パイプ状円形記駆動体から取り出した洗浄対象物ロール体をシート状洗浄対象物に展延して吊し下げて、表面をウォータージェットでの噴射による清掃する工程と、それに続く自然、または温風乾燥する工程とからなるロールスクリーンの洗浄装置にした。
スクリーン幅の立掛け作業枠に吊し下げたシート状平坦面に展延された洗浄対象物の表面をブラシローラで撫でながら、洗浄用水を使用したウォータージェットで２Ｌ／分の高圧噴射によるシート状平坦面の全面を１０分間清掃した。【００２５】  ロール体の汚れ付着シート表面洗浄工程に対し、ロールスクリーンにおけるスクリーン表面を洗浄する操作において、ロールスクリーンのロール体の揺動または振動可能なように各ロール面に洗浄液が流れ込むように回転を行い、洗浄装置におけるパイプ状円形駆動体の上部に洗浄液を導入する洗浄液ボックスを配置し、その近傍に処理液を吸引するボックスを具えた。
【産業上の利用可能性】
【００２６】  本考案による洗浄装置は、その製造の面で機械産業上の利用可能性があり、その使用の面でクリーニングというサービス業上の利用可能性を有する。
【符号の説明】
【００２７】１    ロールスクリーン（ロール体）
２    パイプ状円形駆動体
３    洗浄対象物ロール体
４    シート状洗浄物
５    半円パイプ状バー
６    洗浄液
８    廃液タンク
９    ブラシローラ
１０  電動モータ
１１  ウォータージェット
１２  洗剤
１３  回転軸
１４  圧力調整コック
１５  蓋
１６  水
１７  排水口
１８  電動ポンプ
１９  排気
２０  排水口
【図１】
0003228890.tif 000003
【図２】
0003228890.tif 000004
【図３】
0003228890.tif 000005
【図４】
0003228890.tif 000006
【手続補正書】
【提出日】令和2年7月20日(2020.7.20)
【手続補正１】
【補正対象書類名】実用新案登録請求の範囲
【補正対象項目名】全文
【補正方法】変更
【補正の内容】
【実用新案登録請求の範囲】
【請求項１】
建物の窓に掛けられる幕、又は映像投影用の映写幕に使用されるロールスクリーンの展延性を有するロールに巻いたシート状洗浄対象物を洗浄する洗浄装置において、スクリーンの取り付け金具を除いた洗浄対象物ロール体を、回転可能な両端にパイプ状円形駆動体に洗剤と導入させて、回転、及び摺動によってシート状洗浄対象物に付着している汚れを落とす蓋付パイプ状円形洗浄機器と、前記蓋付パイプ状円形洗浄機器であるパイプ状円形記駆動体から取り出した洗浄対象物ロール体をシート状洗浄対象物に展延して吊し下げて、洗浄水による清掃する水洗器具と、それに続く自然乾燥する乾燥器具とを兼ねる吊り下げ枠体とで構成されていることを特徴とするロールスクリーンの洗浄装置。
【請求項２】
スクリーンの表面の汚れを落とす蓋付パイプ状円形洗浄機器において、両端にパイプ状円形駆動体の駆動は、洗浄対象物ロール体に接しながらその回転軸を中心に回転・摺動されて、スクリーンシートを巻いたロール体の汚れ付着シート表面を、パイプ状円形駆動体の回転によって洗剤液を内部に浸透させるとともに、その回転軸と直角な方向の落下によってシート面の洗剤液の移動を容易にするために、前記パイプ状円形駆動体は、直径１００〜３００ｍｍ、長さ１０００〜３０００ｍｍの樹脂製パイプで、ロール体が揺動または振動できるように、内部の表面に直径１０〜３０ｍｍの半円パイプ状バーを２〜４箇所にパイプ全長に張り付けて、洗浄液体を１〜５０Ｌ導入して、回転速度を３〜３０回転／分での回転操作できる構造になって、洗浄後のロール体は平坦シート状にした表面に高圧噴射によって洗浄・清掃できるように、上部からスクリーンのシートを吊し下げて処理できる金属製角形枠体で構成されていることを特徴とする請求項１に記載のロールスクリーンの洗浄装置。
【請求項３】
ロール体の汚れ付着シートの表面洗浄を行う蓋付パイプ状円形洗浄機器は、洗浄後のロールスクリーンにおけるスクリーン表面を水洗浄による操作において、ロールスクリーンのロール体が揺動または振動できるように、各ロール面に洗浄液の流れ込みできるように作動として回転と振動を行い、蓋付パイプ状円形洗浄機器においてはパイプ状円形駆動体の上部位置に洗浄液を導入する洗浄液ボックスを配置し、下部位置に処理廃液を排出するボックスを備えていることを特徴とする請求項１、又は請求項２に記載のロールスクリーンの洗浄装置。